(57)【要約】【課題】列方向束配線と行方向束配線との間の容量を低減することで、検出感度の向上や検出時間の短縮によって応答性を向上することのできるタッチスクリーンを得る【解決手段】検出用列配線および検出用行配線との間には電気的に切断されたフローティング配線とを備えたタッチスクリーンであって、検出用列配線および検出用行配線はそれぞれジグザグパターンであり、平面視において、第１の傾斜部分と第２の傾斜部分との接続点の周りに検出用列配線のフローティング電極が配置された第１のブロック領域と、第３の傾斜部分と第４の傾斜部分との接続点の周りに検出用行配線のフローティング電極が配置された第２のブロック領域とが列方向および行方向において交互に配置されている。【選択図】図２
2014170490.tif 000002
【特許請求の範囲】
【請求項１】
透明基板と、
この透明基板の上に形成された
列方向を長手方向として電気的に共通に接続された複数の検出用列配線を一組とした複数の列方向束配線と、
この列方向束配線を覆うように形成された絶縁層と
この絶縁層の上に形成された
行方向を長手方向として電気的に共通に接続された複数の検出用行配線を一組とした複数の行方向束配線と、
前記検出用列配線および前記検出用行配線との間には、前記検出用列配線および前記検出用行配線と電気的に切断されたフローティング配線と
を備えたタッチスクリーンであって、
前記検出用列配線は、前記列方向に対して所定の傾斜角度θ（０＜θ＜９０°）で斜めに傾斜した第１傾斜部分と、前記第１傾斜部分に繋がった前記列方向に対して傾斜角度−θで斜めに傾斜した第２傾斜部分とが前記列方向に沿って繰り返し配設されて構成されるジグザグパターンであり、
前記検出用行配線は、前記行方向に対して所定の傾斜角度９０°−θで斜めに傾斜した第３傾斜部分と、前記第３傾斜部分に繋がった前記行方向に対して傾斜角度−（９０°―θ）で斜めに傾斜した第４傾斜部分とが前記行方向に沿って繰り返し配設されて構成されるジグザグパターンであり、
平面視において、
前記第１の傾斜部分と第２の傾斜部分との接続点の周りに前記検出用列配線のフローティング電極が配置された第１のブロック領域と、
前記第３の傾斜部分と第４の傾斜部分との接続点の周りに前記検出用行配線のフローティング電極が配置された第２のブロック領域と
が列方向および行方向において交互に配置された
ことを特徴とするタッチスクリーン。
【請求項２】
斜めに隣接する第１のブロック領域間の検出用列配線が互いに連結されており、
斜めに隣接する第２のブロック領域間の検出用行配線が互いに連結されている
ことを特徴とする請求項１記載のタッチスクリーン。
【請求項３】
第1のブロック領域及び第２のブロック領域はそれぞれ矩形上の複数の単位配線パターン領域からなり、
前記複数の単位配線パターン領域は、
少なくとも対角方向に伸在する配線を含む検出用列配線のみを備えた第１の単位配線パターンと、
少なくとも対角方向に伸在する配線を含む検出用行配線のみを備えた第２の単位配線パターンを含み、
前記第１のブロック領域には、その対角方向に複数の前記第１の単位配線パターンが配置され、それぞれの前記第１の単位配線パターンの含む前記検出用列配線は斜め方向に隣り合う前記第１の単位配線パターンの頂点付近で、該第１の単位配線パターンの含む前記検出用列配線と電気的に接続しており、
前記第２のブロック領域には、その対角方向に複数の前記第２の単位配線パターンが配置され、それぞれの前記第２の単位配線パターンの含む前記検出用行配線は斜め方向に隣り合う前記第２の単位配線パターンの頂点付近で、該第２の単位配線パターンの含む前記検出用行配線と電気的に接続していることを特徴とする請求項１または２に記載のタッチスクリーン。
【請求項４】
複数の単位配線パターン領域は、
検出用列配線と同じ配線層に形成され、少なくとも対角方向に伸在する配線を含むフローティング配線のみを含む第３の単位配線パターンと、
検出用行配線と同じ配線層に形成され、少なくとも対角方向に伸在する配線を含むフローティング配線のみを含む第４の単位配線パターンをさらに含み、
第1ブロック領域は前記第1、第３及び第４の単位配線パターンを含み、
第２のブロック領域は前記第２、第３及び第４の単位配線パターンを含むことを特徴とする請求項３に記載のタッチスクリーン。
【請求項５】
第１のブロック領域の第１及び第３の単位配線パターンと第４の単位配線パターンとは、相補的に斜め方向に隣り合う単位配線パターンの含む配線が同じ配線層の配線として形成されたものとなるように、列方向及び行方向においてそれぞれ交互に配置され、
第２のブロック領域の第２及び第４の単位配線パターンと第３の単位配線パターンとは、相補的に斜め方向に隣り合う単位配線パターンの含む配線が同じ配線層の配線として形成されたものとなるように、前記列方向及び前記行方向において交互に配置されることを特徴とする請求項４に記載のタッチスクリーン。
【請求項６】
第１〜第４の単位配線パターンは、
前記単位配線パターン領域の対角関係にある２組の頂点のうち、一方の組の頂点付近が始点及び終点となる第１の配線と、
他方の組の頂点付近が始点及び終点となる第２の配線と
を備えたことを特徴とする請求項４または５に記載のタッチスクリーン。
【請求項７】
第１〜第４の単位配線パターンは、
第１の配線及び第２の配線を接続する分岐配線を備えたことを特徴とする請求項６に記載のタッチスクリーン。
【請求項８】
第１の配線及び第２の配線が直線状であることを特徴とする請求項６または７に記載のタッチスクリーン。
【請求項９】
第１の配線及び第２の配線が円弧状であることを特徴とする請求項６または７に記載のタッチスクリーン。
【請求項１０】
請求項１乃至請求項９のいずれかに記載のタッチスクリーンと、
複数の列方向束配線の各々、及び、複数の行方向束配線の各々を順次に選択するスイッチ回路と、
前記スイッチ回路により選択された前記列方向束配線と前記タッチスクリーンをタッチした指示体との間に形成される静電容量、及び、前記スイッチ回路により選択された前記行方向束配線と前記指示体との間に形成される静電容量の検出結果に基づいて、前記指示体のタッチ位置を示す前記タッチスクリーンにおけるタッチ座標の算出処理を行う検出処理回路と
を備えたことを特徴とするタッチパネル。
【請求項１１】
請求項１乃至請求項９のいずれかに記載のタッチスクリーンと、
複数の列方向束配線の各々、及び、複数の行方向束配線の各々を順次に選択するスイッチ回路と、
前記タッチスクリーンへの指示体のタッチに応じた、前記スイッチ回路により選択された前記列方向束配線と前記行方向束配線との間の相互容量の変化の検出結果に基づいて、前記指示体のタッチ位置を示す前記タッチスクリーンにおけるタッチ座標の算出処理を行う検出処理回路と
を備えたことを特徴とするタッチパネル。
【発明の詳細な説明】
【技術分野】
【０００１】
この発明は、タッチスクリーン及びそれを備えるタッチパネルに関するものである。
【背景技術】
【０００２】
従来、指などの指示体によるタッチを検出し、そのタッチ位置の座標を特定するタッチパネルが、優れたインターフェース手段の一つとして注目されている。このタッチパネルでは、抵抗膜方式や静電容量方式などの様々な方式が提案され、製品化されている。
【０００３】
このような静電容量方式のタッチパネルの一種として、例えば、投写型静電容量（Ｐｒｏｊｅｃｔｅｄ  Ｃａｐａｃｉｔｉｖｅ）方式のタッチパネルが知られている。この投写型静電容量方式のタッチパネルにおいては、タッチセンサを内蔵したタッチスクリーンの前面側が数ｍｍ厚程度のガラス板等の保護板で覆われていても、保護板への指などによるタッチを検出することが可能となっている。このようなタッチスクリーンは、堅牢性に優れる点、手袋装着時でもタッチ検出が可能である点、及び可動部がなく長寿命である点などの利点を有することから、様々な技術が提案されている。
【０００４】
例えば、従来の投写型静電容量方式のタッチパネルは、静電容量を検出するための検出用配線（検出電極）として、薄い導電膜で形成された第１シリーズの導体エレメントと、第１シリーズの導体エレメント上に絶縁膜を介して形成された第２シリーズの導体エレメントとを備えている。また、各導体エレメント間には電気的接触はなく、複数の交点が形成されている（例えば、特許文献１参照）。このようなタッチパネルにおいては、指などの指示体と、検出用配線である導体エレメントとの間に形成される静電容量を検出回路で検出することによって、指示体がタッチした位置の位置座標が特定される。さらに、１以上の導体エレメントの検出容量相対値により導体エレメント間のタッチ位置が補間可能となっている。
【０００５】
また、他のタッチパネルに用いられるタッチスクリーンは、検出用列配線及び検出用行配線を備えており、これら配線が、それぞれ列／行方向に４５°で傾斜した傾斜部分をもってジグザグ状に繰り返されるジグザグパターンの金属配線から形成されている。このようなタッチスクリーンにおいては、検出用配線間の寄生容量を増大させずに配線密度を高めてタッチの検出感度を向上させることが可能である（例えば、特許文献２参照）。
【０００６】
さらに別のタッチパネルを構成するタッチスクリーンは、上述のタッチスクリーンと同様に、ジグザグパターンに形成された検出用列配線及び検出用行配線を備えているとともに、検出用列配線と検出用行配線との間に配線をさらに備えている（例えば、特許文献３参照）。
【０００７】
また、投写型静電容量方式とは異なる相互容量検出方式と呼ばれる検出方式が開示されている。例えば、相互容量検出方式のタッチスクリーンにおいて、キー・マトリクスは複数の駆動／受信電極対の配列からなり、指など指示体の基板への接触に応じて生じる電極間の電界変化に伴う結合静電容量（相互電極静電容量）の変化を電荷量として検出している（例えば、特許文献４参照）。
【０００８】
また、他の相互容量検出方式のタッチスクリーンは、Ｘ電極及びＹ電極を含む電極アレイを備えており、Ｘ電極とＹ電極との間の相互容量が容量測定回路により検出される。そして、その被測定容量を示す出力電圧変化が、相互容量、既知の基準容量、既知の駆動電圧変化に応じて決定されている（例えば、特許文献５参照）。
【０００９】
上述のジグザグパターンの検出用列配線及び検出用行配線を備えた従来のタッチスクリーンにおいては、検出用列配線と検出用行配線 との間に形成される配線間容量（以下「行列配線間容量」）を増大させずに配線密度を大きくすることが可能となる。また、矩形状に配置された検出用配線は、菱形連鎖形状に配置された検出用配線に比べ、検出結果に基づく座標補間処理が容易であるという利点、ま たは、補間処理によって求めた座標の直線性が高い（特に斜め方向）という利点がある。
【先行技術文献】
【特許文献】
【００１０】
【特許文献１】特表平９−５１１０８６号公報
【特許文献２】特開２０１０−６１５０２号公報
【特許文献３】特開２０１０−９７５３６号公報
【特許文献４】特表２００３−５２６８３１号公報
【特許文献５】特表平１１−５０５６４１号公報
【発明の概要】
【発明が解決しようとする課題】
【００１１】
検出方法によってはタッチスクリーンへの指などの指示体のタッチの有無に応じて変化する行列配線間容量が、検出感度と密接に関連することがある。例えば、従来の相互容量検出方式によれば、指などの指示体のタッチに応じた行列配線間容量の変化（電極間の電界の変化）が大きくなるほうが検出感度を高くすることができる。
【００１２】
しかしながら、上述のジグザグパターンの検出用列配線及び検出用行配線を備えた従来のタッチスクリーンのように、列方向束配線と行方向束配線との間の容量（電界結合）が大きい構成においては、指などの指示体のタッチに応じた検出用列配線と検出用行配線との間の電界変化、すなわち行列配線間容量における変化が生じにくくなる。したがって、このような構成において相互容量検出方式を適用すると、タッチの検出感度が低いという問題があった。
【００１３】
また、上述のジグザグパターンの検出用列配線及び検出用行配線を備えた従来のタッチスクリーンに対して相互容量検出方式を適用する場合、駆動電圧が相互容量、すなわち行列配線間容量と既知の基準容量によって容量分割された電圧が差動増幅器の入力に印加される。とくに基準容量に対して行列配線間容量が大きい場合には、容量分割された電圧が高くなりすぎてしまい、回路のダイナミックレンジを考慮すると望ましくない。このとき、行列線間容量に応じて基準容量を大きくすることも考えられるが、検出用配線抵抗と行列間容量及び基準容量との合成容量の充放電に伴い、検出出力電圧の整定時間が大きくなり、ひいては検出時間を増大させ、タッチパネルの応答を悪化させるといった問題があった。
【００１４】
この発明は、上述のような課題を解決するためになされたもので、列方向束配線と行方向束配線との間の容量を低減することで、検出感度の向上や検出時間の短縮によって応答性を向上することのできるタッチスクリーン及びそれと備えたタッチパネルを得ることを目的とする。
【課題を解決するための手段】
【００１５】
この発明に係るタッチスクリーンにおいては、
透明基板と、
この透明基板の上に形成された
列方向を長手方向として電気的に共通に接続された複数の検出用列配線を一組とした複数の列方向束配線と、
この列方向束配線を覆うように形成された絶縁層と
この絶縁層の上に形成された
行方向を長手方向として電気的に共通に接続された複数の検出用行配線を一組とした複数の行方向束配線と、
前記検出用列配線および前記検出用行配線との間には、前記検出用列配線および前記検出用行配線と電気的に切断されたフローティング配線と
を備えたタッチスクリーンであって、
前記検出用列配線は、前記列方向に対して傾斜角度４５°で斜めに傾斜した第１傾斜部分と、前記第１傾斜部分に繋がった前記列方向に対して傾斜角度−４５°で斜めに傾斜した第２傾斜部分とが前記列方向に沿って繰り返し配設されて構成されるジグザグパターンであり、
前記検出用行配線は、前記行方向に対して傾斜角度４５°で斜めに傾斜した第３傾斜部分と、前記第３傾斜部分に繋がった前記行方向に対して傾斜角度−４５°で斜めに傾斜した第４傾斜部分とが前記行方向に沿って繰り返し配設されて構成されるジグザグパターンであり、
平面視において、
前記第１の傾斜部分と第２の傾斜部分との接続点の周りに前記検出用列配線のフローティング電極が配置された第１のブロック領域と、
前記第３の傾斜部分と第４の傾斜部分との接続点の周りに前記検出用行配線のフローティング電極が配置された第２のブロック領域と
が列方向および行方向において交互に配置された
ものである。
【発明の効果】
【００１６】
この発明に係るタッチスクリーンは、検出用列配線を含む第１のブロック領域と、検出用行配線を含む第２のブロック領域とが、列方向及び行方向において交互に配置され、第１のブロック領域及び第２のブロック領域の検出用列配線及び検出用行配線との間には非接続のフローティング配線が配置されている。これにより、隣接するブロック領域における検出用列配線と検出用行配線との間の距離を広げるとともに、検出用列配線及び検出用行配線との電界結合を低下させて、それぞれの配線から構成される列方向束配線と行方向束配線と間の配線間容量を低減することができる。その結果、検出感度の向上や検出時間の短縮によって応答性が向上したタッチスクリーンを得ることができる。
【図面の簡単な説明】
【００１７】
【図１】実施の形態１に係るタッチスクリーンの構成を示す平面図である。
【図２】実施の形態１に係るタッチスクリーンの構成を示す拡大平面図である。
【図３】実施の形態１に係るタッチスクリーンの構成を示す拡大平面図である。
【図４】実施の形態１に係るタッチスクリーンの構成を示す拡大平面図である。
【図５】実施の形態１に係るタッチスクリーンの構成を示す拡大平面図である。
【図６】実施の形態１に係るタッチスクリーンの構成を示す拡大平面図である。
【図７】実施の形態１に係るタッチスクリーンの構成を示す拡大平面図である。
【図８】実施の形態１に係るタッチスクリーンの構成を示す拡大平面図である。
【図９】実施の形態１に係るタッチスクリーンの構成を示す拡大平面図である。
【図１０】実施の形態１に係るタッチスクリーンの構成を示す拡大平面図である。
【図１１】実施の形態１に係るタッチスクリーンの構成を示す拡大平面図である。
【図１２】実施の形態１に係るタッチスクリーンの構成を示す拡大平面図である。
【図１３】実施の形態１に係るタッチスクリーンの構成を示す拡大平面図である。
【図１４】実施の形態１に係るタッチスクリーンの構成を示す斜視図である。
【図１５】実施の形態１に係るタッチスクリーンの構成を示す斜視図である。
【図１６】実施の形態１に係るタッチパネルの構成を示す図である。
【図１７】実施の形態１に係る対比タッチスクリーンの構成を示す拡大平面図である。
【図１８】実施の形態１に係るタッチスクリーンのブロック構成を示す模式平面図である。
【図１９】実施の形態１に係るタッチスクリーンのブロック構成を示す模式平面図である。
【図２０】実施の形態２に係るタッチスクリーンの構成を示す拡大平面図である。
【図２１】実施の形態３に係るタッチスクリーンの構成を示す拡大平面図である。
【発明を実施するための形態】
【００１８】
実施の形態１．
図１は、この発明を実施するための実施の形態１に係るタッチスクリーン１の構成を模式的に示す平面図である。以下、図１などを参照して、本実施の形態に係るタッチスクリーン１の構成等について説明する。
【００１９】
図１に示されるように、タッチスクリーン１は、透明なガラス材料または透明な樹脂からなる透明基板であるベース基板１２と、列方向（図１中のｙ方向に相当）に伸在する複数の検出用列配線２と、行方向（図１中のｘ方向に相当）に伸在する複数の検出用行配線３とを備えている。そして、複数の検出用列配線２はベース基板１２の表面に、複数の検出用行配線３は複数の検出用列配線２の上に形成された絶縁層の表面に形成されている。ここで、複数の検出用列配線２と複数の検出用行配線３との形成位置は、入れ替わっていてもよい。なお、図１では便宜上、検出用列配線２及び検出用行配線３は直線で示されているが、実際には図２等に示されるようにジグザグ状の形状を有している。検出用列配線２及び検出用行配線３の詳細については後述する。
【００２０】
複数の検出用列配線２は、接続用配線４などによって電気的に共通に接続されている。そして、本実施の形態では、電気的に共通に接続された複数の検出用列配線２が、列方向（ｙ方向）に伸在する列方向束配線６に含まれている。つまり、列方向束配線６は、電気的に共通に接続された複数の検出用列配線２を含んでいる。このような列方向束配線６は、長手方向が列方向となる矩形状の検出領域を形成する。なお、上記においては、検出用列配線２は列方向（ｙ方向）に伸在するとしたが、これに限ったものではなく、列方向（ｙ方向）に伸在しない配線であっても、列方向束配線６を構成する配線であれば検出用列配線２と呼ぶものとする。
【００２１】
同様に、複数の検出用行配線３は、接続用配線５などによって電気的に共通に接続されている。そして、本実施の形態では、電気的に共通に接続された複数の検出用行配線３が、行方向（ｘ方向）に伸在する行方向束配線７に含まれている。つまり、行方向束配線７は、電気的に共通に接続された複数の検出用行配線３を含んでいる。このような行方向束配線７は、長手方向が行方向となる矩形状の検出領域を形成する。なお、上記においては、検出用行配線３は行方向（ｘ方向）に伸在するとしたが、これに限ったものではなく、行方向（ｘ方向）に伸在しない配線であっても、行方向束配線７を構成する配線であれば検出用行配線３と呼ぶものとする。
【００２２】
図１に示されるように、複数の列方向束配線６及び複数の行方向束配線７は、それぞれ列方向（ｙ方向）及び行方向（ｘ方向）と平行に配置、すなわちマトリックス配置されている。なお、列方向束配線６及び行方向束配線７の数、各列方向束配線６を構成する検出用列配線２の数、各行方向束配線７を構成する検出用行配線３の数はそれぞれ、タッチパネルの指などの指示体のタッチ位置（タッチ座標値）の要求分解能から、適宜、選択・設定される。
【００２３】
列方向束配線６及び行方向束配線７は、それぞれ引き出し配線８、９によって、ベース基板１２端部に設けられた端子１０にそれぞれ接続されている。
【００２４】
以上のような構成からなるタッチスクリーン１においては、検出用列配線２及び検出用行配線３の配線密度を大きくすることができる。したがって、指示体と、列方向束配線６及び行方向束配線７のそれぞれとの間に形成される静電容量（タッチ容量）を検出する検出方式（一般に自己容量検出方式と呼ばれる）において、検出すべきタッチ容量を大きくすることができる。
【００２５】
次に、列方向束配線６及び行方向束配線７の構成について詳細に説明する。
【００２６】
図２は、平面視において、長手方向が列方向となる矩形状の検出領域を形成する列方向束配線６と、長手方向が行方向となる矩形状の検出領域を形成する行方向束配線７とが交差する領域を拡大した図である。より具体的には、図１において太い破線で示される交差領域Ａの一部を拡大した図である。図２は、列方向束配線６を構成する１本の検出用列配線２と、行方向束配線７を構成する１本の検出用行配線３とが交差する領域の拡大図である。なお、以下の説明においては、交差領域Ａの一部を拡大した領域を「グリッドＢ」と呼ぶこともある。また、以下の図においては、検出用列配線２を破線、検出用行配線３を実線で示すこともある。
【００２７】
図２において、検出用列配線２は、列方向（ｙ方向）対して傾斜角度４５°で斜めに傾斜した第１傾斜部分と、この第１傾斜部分に繋がった列方向に対して傾斜角度−４５°で斜めに傾斜した第２傾斜部分とが列方向に沿って繰り返し配設されて構成されるジグザグパターンで構成されている。また、検出用行配線３は、行方向（ｘ方向）に対して傾斜角度４５°で斜めに傾斜した第３傾斜部分と、この第３傾斜部分に繋がった行方向に対して傾斜角度−４５°で斜めに傾斜した第４傾斜部分とが行方向に沿って繰り返し配設されて構成されるジグザグパターンで構成されている。
【００２８】
本実地の形態に係るタッチスクリーン１においては、図２に太い一点鎖線で示される交差領域Ｂ（グリッドＢ）を分割してなる、細い一点鎖線で示される複数（ここでは４つ）の四角形状のブロック領域Ｃ１、Ｃ２（第１のブロック領域）、及びＲ１、Ｒ２（第２のブロック領域）が規定されている。
【００２９】
ここでは、グリッドＢ内において、ブロック領域Ｃ１が左上側（−ｘ側及び−ｙ側）に配置され、ブロック領域Ｃ２が右下側（＋ｘ側及び＋ｙ側）に配置され、ブロック領域Ｒ１が右上側（＋ｘ側及び−ｙ側）に配置され、ブロック領域Ｒ２が左下側（−ｘ側及び＋ｙ側）に配置されている。
【００３０】
ブロック領域Ｃ１およびＣ２は、検出用列配線２の第１の傾斜部分と第２の傾斜部分との接続点の周りのブロック領域であり、ブロック領域Ｒ１およびＲ２は、検出用行配線３の第３の傾斜部分と第４の傾斜部分との接続点の周りのブロック領域である。
【００３１】
本実施の形態では、このようなブロック領域Ｃ１、Ｃ２、Ｒ１およびＲ２が列方向束配線６及び行方向束配線７の全てにわたって規定されている。つまり、ブロック領域Ｃ１、Ｃ２（第１のブロック領域）と、ブロック領域Ｒ１、Ｒ２（第２のブロック領域）とが、全体として列方向ｙ及び行方向ｘにおいて交互に配置されており、チェッカーパターンを成している。
【００３２】
図３は、図２と同様に本実施の形態におけるグリッドＢを示したものである。図３において、中央の破線の円は、４つのブロック領域（Ｃ１、Ｃ２、Ｒ１およびＲ２）がグリッドＢの中央で互いに隣接する箇所Ｄを示している。また、図３において、左右両端中央の破線の三角形は、グリッドＢのブロック領域Ｃ１およびＲ２と、それらの左側（−ｘ側）に隣接するブロック領域Ｒ１およびＣ２とが接する箇所、及び、グリッドＢのブロック領域Ｃ２およびＲ１と、それらの右側（＋ｘ側）に隣接するブロック領域Ｒ２およびＣ１とが接する箇所Ｅを示している。さらに、図３において、グリッドＢの上下両端中央の破線の四角形は、グリッドＢのブロック領域Ｃ１およびＲ１と、それらの上側（−ｙ側）に隣接するブロック領域Ｒ２およびＣ２とが接する箇所、及び、グリッドＢのブロック領域Ｃ２およびＲ２と、それらの下側（＋ｙ側）に隣接するブロック領域Ｒ１およびＣ１とが接する箇所Ｆを示している。さらに、図３において、グリッドＢの４隅を実線の円Ｏ１〜Ｏ４として示している。
【００３３】
１つのグリッドＢにおいて、斜めに隣接するブロック領域Ｃ１、Ｃ２間を斜めにつなぐ１本の検出用列配線２と、これと相補的に斜めに隣接するブロック領域Ｒ１、Ｒ２間を斜めにつなぐ１本の検出用行配線３とが立体的に交差する構成としている。そして、１つのグリッドＢにおいて、検出用列配線２と検出用行配線３との立体交差を、図３に示す破線の円で示したＤの１箇所（ブロック領域Ｃ１、Ｃ２、Ｒ１およびＲ２が接する１箇所）においてのみ備えるものとなっている。
【００３４】
さらに、平面視において、検出用列配線２と検出用行配線３とが形成されていない領域には、後述するように、検出用列配線２と同じ配線層（以降、同層と記す）の配線として形成されたフローティング配線２F（第１のフローティング配線）および検出用行配線３と同層の配線として形成されたフローティング配線３Ｆ（第２のフローティング配線）を備えている。
【００３５】
図４は、図３において破線の円で示された箇所Ｄの拡大図である。この図４に示されるように、破線の円が付された箇所Ｄでは、ブロック領域Ｃ１の１本の検出用列配線２と、ブロック領域Ｃ２の１本の検出用列配線２とが連結されているとともに、ブロック領域Ｒ１の１本の検出用行配線３と、ブロック領域Ｒ２の１本の検出用行配線３とが連結されている。
【００３６】
図５は、図３において破線の三角形で示された箇所Ｅの拡大図である。この図５に示されるように、破線の三角形が付された箇所Ｅでは、ブロック領域Ｒ１の１本の検出用行配線３と、ブロック領域Ｒ２の１本の検出用行配線３とは連結されているが、ブロック領域Ｃ１の検出用列配線２と、ブロック領域Ｃ２の検出用列配線２とは、その連結部分を挟むように配置されており、非連結となっている。
【００３７】
図６は、図３において破線の四角形で示された箇所Ｆの拡大図である。この図６に示されるように、破線の四角形が付された箇所Ｆでは、ブロック領域Ｃ１の１本の検出用列配線２と、ブロック領域Ｃ２の１本の検出用列配線２とは連結されているが、ブロック領域Ｒ１の検出用行配線３と、ブロック領域Ｒ２の検出用行配線３とは、その連結部分を挟むように配置され非連結となっている。
【００３８】
図７は、図３において実線の円で示されたがＯ１〜Ｏ４のうちの１つの拡大図である。この図７に示されるように、実線の円が付された箇所Ｏ１〜Ｏ４では、ブロック領域Ｃ１、Ｃ２の検出用列配線２同士は離間されて非連結となっており、かつ、ブロック領域Ｒ１、Ｒ２の検出用行配線３同士は離間されて非連結となっている。
【００３９】
次に、ブロック領域Ｃ１、Ｃ２に設けられた検出用列配線２の構成について説明する。
【００４０】
図８及び図９は、それぞれブロック領域Ｃ１及びＣ２に設けられた検出用列配線２の構成を示す拡大図である。図８及び図９に示すように、ブロック領域Ｃ１及びＣ２は、検出用列配線２から構成される単位配線パターン２ｕがそれぞれブロック領域Ｃ１、Ｃ２の対角方向に連結される。さらに、検出用列配線２と同層に形成されたフローティング配線２Ｆから構成される単位配線パターン２Ｆｕ、検出用行配線３と同層に形成されたフローティング配線３Ｆから構成される単位配線パターン３Ｆｕを含む。なお、各配線の積層構造については後述する。
【００４１】
次に、ブロック領域Ｒ１，Ｒ２に設けられた検出用行配線３の構成について説明する。
【００４２】
図１０及び図１１は、それぞれブロック領域Ｒ１及びＲ２に設けられた検出用行配線３の構成を示す拡大図である。図１０及び図１１に示すように、ブロック領域Ｒ１及びＲ２は検出用行配線３から構成される単位配線パターン３ｕがそれぞれブロック領域Ｒ１、Ｒ２の対角方向に連結される。さらに、検出用行配線３と同層に形成されたフローティング配線３Ｆから構成される単位配線パターン３Ｆｕ、検出用列配線２と同層に形成されたフローティング配線２Ｆから構成される単位配線パターン２Ｆｕを含む。なお、各配線の積層構造については後述する。
【００４３】
図１２（ａ）は検出用列配線２の単位配線パターン２ｕ、図１２（ｂ）はフローティング配線２Ｆの単位配線パターン２Ｆｕの構成を示す拡大図である。図１２（ａ）に示す単位配線パターンは、正方形状の単位配線パターン領域（図中、一点鎖線で示す）の２組の頂点（Ｐ１，Ｐ２）、（Ｑ１，Ｑ２）のうち、一方の組の頂点（Ｐ１，Ｐ２）付近をそれぞれ始点、終点とする斜め配線２ｊと、他方の組の頂点（Ｑ１，Ｑ２）付近をそれぞれ始点、終点とする斜め配線２ｋとが交点の連結部Ｊ２で連結（接続）している。また、斜め配線２ｊ、２ｋは傾斜部部分２ｅＳ１〜２ｅＳ４と連結部分２ｅＰとからなる分岐配線２ｅによって連結されている。分岐配線２ｅは、全体として略菱形形状に配置されており、分岐配線２ｅの各傾斜部分は、斜め配線２ｊ、２ｋのいずれかと直交している。
【００４４】
そして、検出用列配線２の単位配線パターン２ｕは、斜め配線２ｊまたは２ｋの端部で他の単位配線パターン２ｕと連結する。このようにして、図８及び図９に示すように、ブロック領域Ｃ１、Ｃ２においては、検出用列配線２から構成される単位配線パターン２ｕがそれぞれブロック領域Ｃ１、Ｃ２の対角方向に連結される。
【００４５】
図１２（ｂ）に示す単位配線パターンも同様に構成されている。すなわち、正方形状の単位配線パターン領域（図中、一点鎖線で示す）の対角をなす２組の頂点（ＰＦ１，ＰＦ２）、（ＱＦ１，ＱＦ２）のうち、一方の組の頂点（ＰＦ１，ＰＦ２）付近をそれぞれ始点、終点とする斜め配線２Ｆｊと、他方の組の頂点（ＱＦ１，ＱＦ２）付近をそれぞれ始点、終点とする斜め配線２Ｆｋとが交点の連結部ＪＦ２で連結（接続）している。また、斜め配線２Ｆｊ、２Ｆｋは傾斜部部分２ＦｅＳ１〜２ＦｅＳ４と連結部分２ＦｅＰとからなる分岐配線２Ｆｅによって連結されている。
【００４６】
そして、フローティング配線２Ｆの単位配線パターン２Ｆｕは、検出用列配線２の単位配線パターン２ｕと等価な構造ではあるが、斜め配線２Ｆｊまたは２Ｆｋの端部で他のいずれの単位配線パターンとも連結することなく、電気的にフローティング状態にある。
【００４７】
また、図１３（ａ）は検出用行配線３の単位配線パターン３ｕ、同図（ｂ）はフローティング配線３Ｆの単位配線パターン３Ｆｕの構成を示す拡大図である。これらの単位配線パターンも図１２に示す検出用列配線２の単位配線パターン２ｕ及びフローティング配線２Ｆの単位配線パターン２Ｆｕの構成と同様である。すなわち、単位配線パターン３ｕにおいては、頂点（Ｔ１，Ｔ２）、（Ｕ１，Ｕ２）を始点・終点とする２本の斜め配線３ｊ、３ｋが、また単位配線パターン３Ｆｕにおいては、頂点（ＴＦ１，ＴＦ２）、（ＵＦ１，ＵＦ２）を始点・終点とする２本の斜め配線３Ｆｊ、３Ｆｋが、それぞれ交点Ｊ３、ＪＦ３で連結している。そして、斜め配線３ｊ、３ｋは分岐配線３ｅによって、また斜め配線３Ｆｊ、３Ｆｋは岐配線３Ｆｅによって、それぞれ連結されている。
【００４８】
検出用行配線３の単位配線パターン３ｕは、斜め配線３ｊまたは３ｋの端部で他の単位配線パターン３ｕと連結する。一方、フローティング配線３Ｆの単位配線パターン３Ｆｕは、検出用列配線２からなる単位配線パターン３ｕと等価な構造ではあるが、斜め配線３ｊまたは３ｋの端部で他のいずれの単位配線パターンとも連結することなく、電気的にフローティング状態にある。
【００４９】
また、分岐配線２ｅ、３ｅを設けることで、単位配線パターン２ｕ、３ｕにおける検出用列配線２及び検出用行配線３に断線が生じた場合に、それらにより構成される列方向束配線６及び行方向束配線７の抵抗が高くなるのを抑制することができる。
【００５０】
図８、９に示したように、ブロック領域Ｃ１、Ｃ２においては、検出用列配線２から構成される単位配線パターン２ｕは、ブロック領域の対角方向に連結される。そして、連結された単位配線パターン２ｕの斜め配線２ｊ、２ｋの一部が、ブロック領域Ｃ１、Ｃ２の対角方向に伸び、ブロック領域中央の連結点Ｊｃで連結する検出用列配線２の主配線２ｇ、２ｈとなる。
【００５１】
このとき、ブロック領域Ｃ１においては、検出用列配線２の主配線２ｇ、２ｈはそれぞれブロック領域の右上端（＋ｘ側＋ｙ側端）の頂点にある連結点Ｊｃ１、及びブロック領域の右下端（＋ｘ側−ｙ側端）の頂点にある連結点Ｊｃ２まで伸在する。
【００５２】
同様に、ブロック領域Ｃ２においては、検出用列配線２の主配線２ｇ、２ｈはそれぞれブロック領域の左上端（−ｘ側＋ｙ側端）の頂点にある連結点Ｊｃ２、及びブロック領域の左下端（−ｘ側−ｙ側端）の頂点にある連結点Ｊｃ１まで伸在する。
【００５３】
そして、ブロック領域Ｃ１、Ｃ２のうち、一方のブロック領域は、斜め上下方向で隣接する他方のブロック領域とその連結点Ｊｃ１同士、Ｊｃ２同士でそれぞれの主配線２ｇ、２ｈが連結されて電気的に接続される。
【００５４】
このようにして、ブロック領域Ｃ１、Ｃ２の検出用列配線２は、それぞれの主配線２ｇ、２ｈが連結点Ｊｃ１、Ｊｃ２で連結されながら、列方向に伸在する列方向束配線６を構成する。
【００５５】
ここで、ブロック領域Ｃ１、Ｃ２の対角方向に連結された単位配線パターン２ｕの間には、検出用列配線２と同層配線であるフローティング配線２Ｆからなる単位配線パターン２Ｆｕ、及び検出用行配線３と同層配線であるフローティング配線３Ｆからなる単位配線パターン３Ｆｕが交互に配置される。なお、それぞれフローティング配線２Ｆ、３Ｆからなる単位配線パターン２Ｆｕ、３Ｆｕは、上述したように電気的にフローティング状態にある。
【００５６】
なお、ブロック領域Ｃ１、Ｃ２において、同層配線からなる単位配線パターン２ｕ、２Ｆｕと、それらとは異なる層配線であるフローティング配線からなる単位配線パターン３Ｆｕとは、それぞれ互い違いに（相補的に）配置され、同層配線の単位配線パターン同士がチェッカーパターン状に配置される。
【００５７】
図１０及び図１１に示すように、ブロック領域Ｒ１、Ｒ２においても、検出用行配線３から構成される単位配線パターン３ｕは、ブロック領域の対角方向に連結される。そして、連結された単位配線パターン３ｕの斜め配線の一部が、ブロック領域Ｒ１、Ｒ２の対角方向に伸び、ブロック領域中央の連結点Ｊｒで連結する検出用行配線３の主配線３ｇ、３ｈとなる。
【００５８】
このとき、ブロック領域Ｒ１においては、検出用行配線３の主配線３ｇ、３ｈはそれぞれブロック領域の左下端（−ｘ側−ｙ側端）の頂点にある連結点Ｊｒ１、及びブロック領域の右下端（＋ｘ側−ｙ側端）の頂点にある連結点Ｊｒ２まで伸在する。
【００５９】
同様に、ブロック領域Ｒ２においては、検出用行配線２の主配線３ｇ、３ｈはそれぞれブロック領域の左上端（−ｘ側＋ｙ側端）の頂点にある連結点Ｊｒ２、及びブロック領域の右上端（＋ｘ側＋ｙ側端）の頂点にある連結点Ｊｒ１まで伸在する。
【００６０】
そして、ブロック領域Ｒ１、Ｒ２のうち、一方のブロック領域は、斜め左右方向で隣接する他方のブロック領域とその連結点Ｊｒ１同士、Ｊｒ２同士でそれぞれの主配線３ｇ、３ｈが連結されて電気的に接続される。
【００６１】
このようにして、ブロック領域Ｒ１、Ｒ２の検出用行配線３は、それぞれの主配線３ｇ、３ｈが連結点Ｊｒ１、Ｊｒ２で連結しながら、行方向に伸在する行方向束配線７を構成する。
【００６２】
ここで、ブロック領域Ｃ１、Ｃ２と同様に、ブロック領域Ｒ１、Ｒ２の対角方向に連結された単位配線パターン３ｕの間には、検出用行配線３と同層配線であるフローティング配線３Ｆからなる単位配線パターン３Ｆｕ、及び検出用列配線２と同層配線であるフローティング配線２Ｆからなる単位配線パターン２Ｆｕが交互に配置される。なお、それぞれフローティング配線２Ｆ、３Ｆからなる単位配線パターン２Ｆｕ、３Ｆｕは、上述したように電気的にフローティング状態にある。
【００６３】
なお、ブロック領域Ｒ１、Ｒ２において、同層配線からなる単位配線パターン３ｕ、３Ｆｕと、それらとは異なる層配線であるフローティング配線からなる単位配線パターン２Ｆｕとは、それぞれ互い違いに（相補的に）配置され、同層配線の単位配線パターン同士がチェッカーパターン状に配置される。
【００６４】
ここで、単位配線パターン２、２ｕと単位配線パターン３、３ｕとは別の配線層の配線である。そのため、配線パターンは等価なものであっても、例えば製造上の制約などから、検出用列配線２の配線幅と検出用行配線３の配線幅とが微妙に異なることなどが発生する。このような原因で、別の配線層に形成された検出用列配線２の配線幅と検出用行配線３とを組合せて使用する場合、表示装置からの表示光に対する透過率や外光に対する反射率、さらには透過光や反射光の波長スペクトルに差が生じてしまうことがあり得る。このため、同層配線からなる単位パターンからなる領域が大きくなると、異なる配線層の領域との間で濃淡や色付きの差がパターンとして視認されてしまうといった問題が生じる。
【００６５】
そこで、本実施の形態では、ブロックＣ１、Ｃ２においては、同層配線からなる単位配線パターン２ｕ、２Ｆｕと、それらとは異なる層配線であるフローティング配線からなる単位配線パターン３Ｆｕとを、それぞれ互い違いに（相補的に）配置する。またブロックＲ１、Ｒ２においては、同層配線からなる単位配線パターン３ｕ、３Ｆｕと、それらとは異なる層配線であるフローティング配線からなる単位配線パターン２Ｆｕとを、それぞれ互い違いに（相補的に）配置する。これにより、同層配線の単位配線パターン同士をチェッカーパターン状に配置することで、上記のような濃淡パターンや色付きパターンの繰り返しの空間周波数（繰り返し回数）を高くすることができ、視認され難くすることができる。
【００６６】
また、ブロック領域Ｃ１、Ｃ２における単位配線パターン２ｕ、２Ｆｕ、３Ｆｕからなる各配線パターンは、ブロック中央の連結点Ｊｃを中心に点対称の関係にある。ブロック領域Ｒ１、Ｒ２においても同様に、各配線パターンはブロック中央の連結点Ｊｒを中心に点対称の関係にある。
【００６７】
図１４は、本実施の形態に係るタッチスクリーン１の積層構造の例を模式的に示す斜視図である。なお、この図１４では、図１に示した引き出し配線８、９や端子１０の図示は省略している。次に、この図１４を用いてタッチスクリーン１の積層構造について説明する。
【００６８】
図１４に示すように、タッチスクリーン１の上面層は、上述のベース基板１２であり、ベース基板１２上（図１４ではその下面上）には、アルミニウム等の不透明で高導電率の金属配線材料からなる複数の検出用列配線２やフローティング配線２Fが同層の配線として形成される。なお、図１４では便宜上、検出用列配線２やフローティング配線２Fは、上述の斜め方向のパターン等を有するように示されておらず、直線で示されている。
【００６９】
そして、ベース基板１２上（図１４ではその下面上）には、全ての検出用列配線２やフローティング配線２Fを被覆するように、シリコン窒化膜またはシリコン酸化膜等の透明な層間絶縁膜１３が形成され、その層間絶縁膜１３上（図１４ではその下面上）には、アルミニウム等の不透明で高導電率の金属配線材料からなる複数の検出用行配線３やフローティング配線３Fが形成される。なお、図１４では便宜上、検出用行配線３やフローティング配線３Fも、上述の斜め方向のパターン等を有するようには示されておらず、直線で示されている。層間絶縁膜１３上（図１４ではその下面上）には、行方向束配線７を保護するための保護膜１４が形成されている。
【００７０】
なお、ここでは、ベース基板１２上に検出用列配線２やフローティング配線２Fを形成した後層間絶縁膜１３を形成し、さらにその上に検出用行配線３やフローティング配線３Fを形成した構成について説明したが、配線の配置を逆にした構成、つまり、ベース基板１２上に検出用行配線３やフローティング配線３Fを形成した後層間絶縁膜１３を形成し、さらにその上に検出用列配線２やフローティング配線２を形成した構成であってもよい。
【００７１】
図１５は、図１４に示したタッチスクリーン１とは別の積層構造の例を模式的に示す斜視図である。この図１５に示すタッチスクリーン１は、図１４に示したタッチスクリーン１と上下を逆にして示されている。ここでは、保護膜１４上に粘着層１５を介して保護ガラス１６が粘着固定されている。なお、保護ガラス１６の厚みを数ｍｍ程度にすれば、タッチスクリーン１の強度を向上させることができ、堅牢性に優れたタッチスクリーン１を得ることができる。
【００７２】
図１６は、本実施の形態に係るタッチスクリーン１を備えるタッチパネル１００の全体構成を模式的に示した図である。このタッチパネル１００は、上述のタッチスクリーン１以外に、ＦＰＣ（Ｆｌｅｘｉｂｌｅ  Ｐｒｉｎｔｅｄ  Ｃｉｒｃｕｉｔ）１７、コントローラ基板１８、コントローラ基板１８に搭載されたスイッチ回路１９及び検出処理回路２０を備えている。
【００７３】
ＦＰＣ１７の各端子は、図示しないＡＣＦ（Ａｎｉｓｏｔｒｏｐｉｃ  Ｃｏｎｄｕｃｔｉｖｅ  Ｆｉｌｍ）等を用いることにより、タッチスクリーン１の対応する端子１０に実装される。このＦＰＣ１７を介して、タッチスクリーン１の検出用配線群（列方向束配線６及び行方向束配線７）と、コントローラ基板１８に搭載されたスイッチ回路１９及び検出処理回路２０などの回路とが電気的に接続される。これにより、タッチスクリーン１がタッチパネル１００の主要構成要素として機能する。
【００７４】
スイッチ回路１９は、複数の列方向束配線６の各々、及び、複数の行方向束配線７の各々を順次に選択する。検出処理回路２０は、タッチスクリーン１をタッチした指示体のタッチ位置を示すタッチスクリーン１におけるタッチ座標を検出する。
【００７５】
ここで、指示体のタッチ座標を検出する方式としては、自己容量検出方式及び相互容量検出方式が考えられる。
【００７６】
自己容量検出方式においては、指示体がタッチスクリーン１の透明なベース基板１２の表面をタッチしたとき（図１４の積層構造をとる場合）、もしくは保護ガラス１６の表面をタッチしたとき（図１５の積層構造をとる場合）に、各検出用列配線２と指示体との間に形成されるタッチ容量と、各検出用行配線３と指示体との間に形成されるタッチ容量とを検出することにより、タッチ座標が検出される。
【００７７】
したがって、自己容量検出方式による検出を実現したい場合には、スイッチ回路１９により選択された列方向束配線６と指示体との間に形成される静電容量、及び、スイッチ回路１９により選択された行方向束配線７と指示体との間に形成される静電容量の検出結果に基づいて、指示体のタッチ座標の算出処理を行うことが可能な回路を、検出処理回路２０とすればよい。そして、検出処理回路２０によって算出されたタッチ座標の値を、検出座標データとして、図示しない外部の装置（例えばコンピュータ）に出力すればよい。
【００７８】
一方、相互容量検出方式においては、指示体がタッチスクリーン１の透明なベース基板１２の表面をタッチしたとき（図１４の積層構造をとる場合）、もしくは保護ガラス１６の表面をタッチしたとき（図１５の積層構造をとる場合）に生じる、タッチ位置における検出用列配線２と検出用行配線３との間の相互容量の変化を検出することにより、タッチ座標が検出される。
【００７９】
したがって、相互容量検出方式による検出を実現したい場合には、タッチスクリーン１への指示体のタッチに応じた、スイッチ回路１９により選択された列方向束配線６と行方向束配線７との間の相互容量の変化の検出結果に基づいて、指示体のタッチ座標の算出処理を行うことが可能な回路を、検出処理回路２０とすればよい。そして、検出処理回路２０によって算出されたタッチ座標の値を、検出座標データとして、図示しない外部の装置（例えばコンピュータ）に出力すればよい。
【００８０】
なお、以上の説明においては、グリッドＢ内における、検出用列配線２が設けられたブロック領域の数と、検出用行配線３が設けられたブロック領域数を２個ずつとしたが、特にこの個数に限ったものではなく、それ以外のブロック領域数においても相当の効果を得ることが可能である。
【００８１】
次に、本実施の形態のタッチスクリーンの効果について説明する。まず始めに、本実施の形態のタッチスクリーンと比較するための従来型のタッチスクリーン（以降、対比タッチスクリーンと記す）について説明する。
【００８２】
図１７は、本実施の形態における対比タッチスクリーンの矩形状の列方向束配線６と矩形状の行方向束配線７とが交差する領域を拡大した図（平面視）である。図１７において、ブロック領域Ｃ１、Ｃ２のそれぞれには、検出用列配線２と、行方向束配線７（検出用行配線３）と同じ配線層に形成されたフローティング配線３Ｆとが設けられる。このフローティング配線３Ｆは、検出用行配線３と同じ配線層の配線ではあるが、行方向束配線７の一部を構成するものではなく、列方向束配線６及び行方向束配線７と非接続、すなわちフローティング状態にある。
【００８３】
また、ブロック領域Ｒ１、Ｒ２のそれぞれには、検出用行配線３と、列方向束配線６（検出用列配線２）と同じ配線層に形成されたフローティング配線２Ｆとが設けられている。このフローティング配線２Ｆは、検出用列配線２と同じ配線層の配線ではあるが、列方向束配線６の一部を構成するものではなく、列方向束配線６及び行方向束配線７と非接続、すなわちフローティング状態にある。
【００８４】
さらに、検出用列配線２が設けられるブロック領域Ｃ１、Ｃ２と、検出用行配線３が設けられるブロック領域Ｒ１、Ｒ２とが、全体として列方向ｙ及び行方向ｘにおいて交互に配置されており、チェッカーパターンを成している。
【００８５】
さて、本実施の形態におけるタッチスクリーンと対比タッチスクリーンとを比較する。図１８は、本実施の形態のタッチスクリーンおよび対比タッチスクリーンのブロック構成を示す模式平面図である。図１８において、黒塗り四角形は検出用列配線の単位配線パターンをもつ領域、黒塗り円形は検出用行配線の単位配線パターンをもつ領域、ひし形は検出用列配線と同層のフローティング配線の単位配線パターンをもつ領域、および三角形は検出用行配線と同層のフローティング配線の単位配線パターンをもつ領域を示している。
【００８６】
図１８に示すように、本実施の形態のタッチスクリーンは、ブロック領域Ｃ１、Ｃ２、Ｒ１およびＲ２を、それぞれ行方向、列方向に７個の単位配線パターン構成されたものとして説明する。図１８（ａ）は対比タッチスクリーンによる場合、（ｂ）はブロック領域Ｃ１、Ｃ２の対角方向に検出列配線のみを含む単位配線パターン（ブロック領域当り１３個）を配置し、ブロック領域Ｒ１、Ｒ２の対角方向に検出行配線のみを含む単位配線パターン（ブロック領域当り１３個）を配置した場合である。また図１８（ｃ）は（ｂ）に対してさらに、ブロック領域Ｃ１、Ｃ２の中心位置にある単位配線パターンから上下左右に１個飛ばしで各１個ずつの検出列配線のみを含む単位配線パターン（ブロック領域当り１７個）を配置し、ブロック領域Ｒ１、Ｒ２の中心位置にある単位配線パターンから上下左右に１個飛ばしで各１個ずつの検出行配線のみを含む単位配線パターン（ブロック領域当り１７個）を配置した場合である。
【００８７】
次に、図１９は、本実施の形態における図１に示した交差領域Ａのブロック構成を示す模式平面図である。図１９に示すように、本実施の形態のタッチスクリーンの交差領域Ａは、ブロックＣとブロックＲとを交互に配置したチェッカーパターンを成している。
【００８８】
図１８に示すように、各ブロックにおいて単位配線パターンを配置し、さらに図１９に示すように、列方向束配線６及び行方向束配線７の交差領域Ａを行方向、列方向に各５個のブロックで構成する場合を考える。
図１８（ａ）に示したブロック構成で図１９に示した交差領域Ａを構成した対比タッチスクリーンと、図１８（ｂ）、（ｃ）に示したブロック構成で図１９に示した交差領域Ａを構成した本実施の形態のタッチスクリーンとにおいて、列方向束配線６及び行方向束配線７との間の配線間容量を計算により比較した。計算条件は、各配線幅：３μｍ、単位配線パターンサイズ：２３０μｍ、列方向束配線及び行方向束配線の幅：約８ｍｍとした。また、図１８をもとに後述する保護ガラス１６の厚さを１．８ｍｍとした。
【００８９】
列方向束配線６及び行方向束配線７間の配線間容量は、対比タッチスクリーンに比べ、本実施の形態における図１８（ｂ）に示す構成を用いたタッチスクリーンでは、約５０％の低減となり、図１８（ｃ）に示す構成を用いたタッチスクリーンでは、約３０％の低減となるという計算結果が得られた。
【００９０】
これは、隣接するブロック間において、検出用列配線からなる単位配線パターンと検出用行配線からなる単位配線パターンとの間の距離が離間しており、さらに、その間のフローティング配線からなる単位配線パターンが全て隣接する単位配線パターンと非連結（非接続）であるため、隣接するブロック間の電界結合が低下したためである。
【００９１】
一方、対比タッチスクリーンに対して、検出用列配線及び検出用行配線からなる単位配線パターンの個数（パターン密度）を図１８（ｂ）に示す程度に減らしたとしても、指と列方向束配線６または行方向束配線７との間に形成される静電容量（タッチ容量）は約１０％の低下しか見られないという計算結果が得られた（指などの指示体によるタッチエリアは、φ５ｍｍの円形として計算）。
【００９２】
すなわち、対比タッチスクリーン対して、例えば図１８（ｂ）の構成を用いたタッチスクリーンでは、列方向束配線６及び行方向束配線７間の配線間容量は約５０％にまで低減されるが、検出されるタッチ容量は約１０％しか低下しないという計算結果が得られた。
【００９３】
以上のように、本実施の形態に係るタッチスクリーン１及びタッチパネル１００によれば、検出用列配線２を含むブロック領域Ｃ１、Ｃ２（第１のブロック領域）と、検出用行配線３を含むブロック領域Ｒ１、Ｒ２（第２のブロック領域）とが、列方向ｙ及び行方向ｘにおいて交互に配置され、ブロック領域Ｃ１、Ｃ２（第１のブロック領域）及びブロック領域Ｒ１、Ｒ２（第１のブロック領域）の間には、検出用列配線２及び検出用行配線３とは非接続のフローティング配線２Ｆ、３Ｆを配置した。これにより、隣接するブロック領域における検出用列配線２と検出用行配線３との間の距離を広げるとともに、検出用列配線２及び検出用行配線３との電界結合を低下させて、それぞれの配線から構成される列方向束配線６と行方向束配線７と間の配線間容量を低減することができる。その結果、検出感度の向上や検出時間の短縮によって応答性が向上したタッチスクリーンを得ることができる。
【００９４】
また、本実施の形態では、検出用列配線２と検出用行配線３の交差箇所は、斜めに隣接するブロック領域Ｃ１、Ｃ２の間を斜めにつなぐ検出用列配線２と、これと相補的に斜めに隣接するブロック領域Ｒ１、Ｒ２の間を斜めにつなぐ検出用行配線３が交差する箇所のみとなる。これにより、従来のタッチスクリーンに比べ、検出用列配線と検出用行配線との交差箇所を減らすことができ、列方向束配線６と行方向束配線７との間の配線間容量を低減することができる。
【００９５】
また、ブロック領域Ｃ１、Ｃ２には、その対角方向に検出用列配線２からなる単位配線パターン２ｕが配置され、斜め方向に隣り合う単位配線パターン２ｕの頂点付近で、それぞれの単位配線パターン２ｕの検出用列配線２同士が電気的に接続され、ブロック領域Ｒ１、Ｒ２には、その対角方向に検出用行配線３からなる単位配線パターン３ｕが配置され、斜め方向に隣り合う単位配線パターン３ｕの頂点付近で、それぞれの単位配線パターン３ｕの検出用行配線３同士が電気的に接続される。これにより、隣接するブロック領域における検出用列配線２と検出用行配線３との間の距離を離間するとともに、検出用列配線２と検出用行配線３との電界結合を低下させて、それぞれの配線から構成される列方向束配線６と行方向束配線７と間の配線間容量を低減することができる。
【００９６】
さらに、ブロック領域Ｃ１、Ｃ２の単位配線パターン２ｕ、２Ｆと単位配線パターン３Ｆとは、相補的に斜め方向に隣り合う単位配線パターンの含む配線が同じ配線層の配線として形成されたものとなるように、列方向及び行方向においてそれぞれ交互に配置され、ブロック領域Ｒ１、Ｒ２の単位配線パターン３ｕ、３Ｆｕと単位配線パターン２Ｆとは、相補的に斜め方向に隣り合う単位配線パターンの含む配線が同じ配線層の配線として形成されたものとなるように、列方向及び行方向において交互に配置される。これにより、異なる配線層の基本配線パターンがチェッカーパターン状に配置され、異なる配線層の領域との間で濃淡や色付きの差が生じたとしても、その繰り返しの空間周波数を高くすることができ、視認され難くすることができる。
【００９７】
また、単位配線パターン２ｕ、２Ｆｕ、３ｕおよび３Ｆｕは等価なパターンであって、単位配線パターン領域の対角関係にある２組の頂点のうち、一方の組の頂点付近が始点及び終点となる斜め配線と、他方の組の頂点付近が始点及び終点となる斜め配線を備える。これにより、斜め方向に隣接する単位配線パターンの検出用列配線２同士、検出用行配線３同士をその頂点で連結しながら、容易に列方向束配線６と行方向束配線７を構成できる。
【００９８】
また、本実施の形態によれば、指示体のタッチに応じた、列方向束配線６と行方向束配線７との間の電界変化（相互容量変化）に基づいてタッチ座標を検出する、いわゆる相互容量検出方式などを用いる構成においても、配線間容量（電界結合）を上述と同様に低減することができる。したがって、高感度のタッチスクリーン１を実現することができる。
【００９９】
また、本実施の形態によれば、駆動電圧が相互容量（交差箇所の行列配線間容量）と既知の基準容量によって容量分割された電圧が差動増幅器の入力に印加される容量測定回路を適用する構成においても、基準容量に対する行列配線間容量を上述と同様に低減することができる。したがって、容量分割された電圧を抑制することができることから、回路のダイナミックレンジを有効に使用して、検出を行うことができる。また、列方向束配線６と行方向束配線７との配線間容量に応じた基準容量を抑制することができるので、検出用列配線２及び検出用行配線３の配線抵抗と、行列間容量及び基準容量との合成容量を抑えることができる。よって、充放電に伴う検出出力電圧の整定時間を短縮する、つまり検出時間を短縮することができ、タッチパネル１００の応答を向上することができる。
【０１００】
なお、グリッドＢ内における、検出用列配線２が設けられたブロック領域の数と、検出用行配線３が設けられたブロック領域の数を２個ずつとしなくても、相当の効果を得ることは可能であることから、その個数に限ったものではない。
【０１０１】
なお、実施の形態においては、列方向（ｙ方向）に対する検出用列配線２の第１及び第２傾斜部分の傾斜角度をそれぞれ４５°、−４５°とし、また行方向（ｘ方向）に対する検出用行配線３の第３及び第４傾斜部分の傾斜角度をそれぞれ４５°、−４５°となるよう構成したが、特にこれらの角度に限定されるものではない。例えば、列方向（ｙ方向）に対する検出用列配線２の第１及び第２傾斜部分の傾斜角度を所定角度θ、−θ（０＜θ＜９０°）とし、また行方向（ｘ方向）に対する検出用行配線３の第３及び第４傾斜部分の傾斜角度を所定角度（９０°−θ）、−（９０°―θ）として同様に実施することが可能である。言い換えれば、列方向（ｙ方向）に対する検出用列配線２の第１及び第２傾斜部分の傾斜角度を所定角度θ、−θ（０＜θ＜９０°）とし、検出用行配線３の第３傾斜部分は、検出用列配線２の第１傾斜部分と平行であり、第４傾斜部分は第２傾斜部分と平行であるように構成すればよい。
【０１０２】
実施の形態２．
実施の形態１では、各ブロック領域に含まれる単位配線パターンについて、図１２、１３をもとに説明したような斜め配線と分岐配線からなる形状としたが、実施の形態２、３では他の形状からなる単位配線パターンを用いる場合を説明する。
【０１０３】
図２０は、本実施形態によるタッチスクリーンの単位配線パターンである。なお、ここでは検出用列配線２、検出用行配線３、フローティング配線２F、３Fともに等価な形状として図示することにする。斜め配線ｊａ、ｋａが連結点Jａで連結された形であり、斜め配線ｊａ、ｋａに連結する分岐配線を省いた形である。
【０１０４】
このような単位配線パターンを用いて、本実施の形態のタッチスクリーンを構成した。すなわち、本実施の形態のタッチスクリーンは、実施の形態１のタッチスクリーンにおける検出用列配線２、検出用行配線３、フローティング配線２Ｆ、３Ｆの各基本配線パターン２ｕ、３ｕ、２Ｆｕ、３Ｆｕを、それぞれ図２０に示す基本配線パターンで置換したものである。ここでは、このように置換した基本配線パターンを、それぞれ図示はしないが２ｕａ、３ｕａ、２Ｆｕａ、３Ｆｕａと記す。
【０１０５】
実施の形態１におけるタッチスクリーンと同様に、図２０に示した基本パターン形状の検出用列配線２の単位配線パターン２ｕａは、斜め配線ｊａまたはｋａの端部で他の検出用列配線２の単位配線パターン２ｕａと連結される。このようにして、ブロック領域Ｃ１、Ｃ２においては、検出用列配線２から構成される単位配線パターン２ｕａがそれぞれブロック領域Ｃ１、Ｃ２の対角方向に連結される。
【０１０６】
そして、連結された単位配線パターン２ｕａの斜め配線ｊａ、ｋａの一部が、ブロック領域Ｃ１、Ｃ２の対角方向に伸び、ブロック領域中央の連結点で連結する検出用列配線２の斜め±４５°方向に伸在する主配線となる。
【０１０７】
同様に、図２０に示した基本パターン形状の検出用行配線３の単位配線パターン３ｕａは、斜め配線ｊａまたはｋａの端部で他の検出用行配線３の単位配線パターン３ｕａと連結される。このようにして、ブロック領域Ｒ１、Ｒ２においては、検出用行配線３から構成される単位配線パターン３ｕａがそれぞれブロック領域Ｒ１、Ｒ２の対角方向に連結される。
【０１０８】
そして、連結された単位配線パターン３ｕａの斜め配線ｊａ、ｋａの一部が、ブロック領域Ｒ１、Ｒ２の対角方向に伸び、ブロック領域中央の連結点で連結する検出用行配線３の斜め±４５°方向に伸在する主配線となる。
【０１０９】
一方、フローティング配線２Ｆ及び３Ｆの単位配線パターン２Ｆｕａ、３Ｆｕａは、それぞれ検出用列配線２の単位配線パターン２ｕａ及び検出用行配線３の単位配線パターン３ｕａと等価な構造ではあるが、斜め配線ｊａまたはｋａの端部で他のいずれの単位配線パターンとも連結することなく、電気的にフローティング状態にある。
【０１１０】
なお、実施の形態１と同様、ブロック領域Ｃ１、Ｃ２の対角方向に連結された検出用列配線２を構成する単位配線パターン２ｕａ、およびブロック領域Ｒ１、Ｒ２の対角方向に連結された検出用行配線３を構成する単位配線パターン３ｕａの間の領域には、検出用列配線２と同層配線であるフローティング配線２Ｆを構成する単位配線パターン２Ｆｕａ、及び検出用行配線３と同層配線であるフローティング配線３Ｆからなる単位配線パターン３Ｆｕａが交互に配置される。
【０１１１】
このように、ブロック領域Ｃ１、Ｃ２において、検出用列配線２及びそれと同層配線の単位配線パターン２ｕａ、２Ｆｕａと、それらとは異なる層配線であるフローティング配線からなる単位配線パターン３Ｆｕａとは、それぞれ互い違いに（相補的に）配置され、同層配線の単位配線パターン同士がチェッカーパターン状に配置される。
【０１１２】
同様に、ブロック領域Ｒ１、Ｒ２においても、検出用行配線３及びそれと同層配線の単位配線パターン３ｕａ、３Ｆｕａと、それらとは異なる層配線であるフローティング配線からなる単位配線パターン２Ｆｕａとは、それぞれ互い違いに（相補的に）配置され、同層配線の単位配線パターン同士がチェッカーパターン状に配置される。
【０１１３】
このような単位配線パターンで構成されたタッチスクリーンにおいても、実施の形態１と同様に、検出用列配線２を含むブロック領域Ｃ１、Ｃ２（第１のブロック領域）と、検出用行配線３を含むブロック領域Ｒ１、Ｒ２（第２のブロック領域）とが、列方向ｙ及び行方向ｘにおいて交互に配置され、ブロック領域Ｃ１、Ｃ２（第１のブロック領域）及びブロック領域Ｒ１、Ｒ２（第１のブロック領域）の間には、検出用列配線２及び検出用行配線３とは非接続のフローティング配線２Ｆ、３Ｆを配置した。これにより、隣接するブロック領域における検出用列配線２と検出用行配線３との間の距離を広げるとともに、検出用列配線２及び検出用行配線３との電界結合を低下させて、それぞれの配線から構成される列方向束配線６と行方向束配線７と間の配線間容量を低減することができる。その結果、検出感度の向上や検出時間の短縮によって応答性が向上したタッチスクリーンを得ることができる。
【０１１４】
また、単位配線パターン領域の寸法（配列ピッチ）が同じであれば、分岐配線が存在しない分、若干タッチ容量が低下するが、組み合わせて使用される表示装置からの表示光の透過率は向上する。また、分岐配線の連結部分による±４５°以外の角度成分が存在しないため、表示装置の画素格子との干渉によるモワレも若干発生しにくくなる（モワレ発生に対する単位配線パターンの最適繰り返しピッチのマージンが拡大する）。
【０１１５】
実施の形態３．
図２１は、実施形態３によるタッチスクリーンの単位配線パターンである。なお、ここでは検出用列配線２、検出用行配線３、フローティング配線２F、３Fともに等価な形状として図示することにする。図２１（ａ）は実施の形態１における単位配線パターンの直線状配線を円弧状にした場合、図２１（ｂ）は、実施の形態２における単位配線パターンの直線状配線を円弧状にした場合に相当する。
【０１１６】
図２１（ａ）に示す単位配線パターンは、正方形状の単位配線パターン領域（図中、一点鎖線で示す）の２組の頂点のうち、一方の組の頂点付近をそれぞれ始点、終点とするＳ字状配線ｊｂと、他方の組の頂点付近をそれぞれ始点、終点とするＳ字状配線ｋｂとが交点の連結部Ｊｂで連結（接続）している。また、Ｓ字状配線ｊｂ、ｋｂは、Ｓ字状の配線の交点Ｊｂを中心とした円状の分岐配線ｅｂによって連結される。図では、Ｓ字状の配線を構成する円弧の半径はｒ、円状の配線の半径はＲとして示している。
【０１１７】
また、同図（ｂ）に示す単位配線パターンは、同図（ａ）に示す構成から分岐配線ｅｂを省いた形である。
【０１１８】
このような単位配線パターンを用いて、本実施の形態のタッチスクリーンを構成した。すなわち、実施の形態２と同様に、本実施の形態のタッチスクリーンにおいても、実施の形態１のタッチスクリーンにおける検出用列配線２、検出用行配線３、フローティング配線２Ｆ、３Ｆの各基本配線パターン２ｕ、３ｕ、２Ｆｕ、３Ｆｕを、それぞれ図２１（ａ）や同図（ｂ）に示す基本配線パターンで置換したものである。
【０１１９】
実施の形態１におけるタッチスクリーンにおける基本配線パターンを、例えば、図２１（ａ）に示す配線パターンで基本配線パターンを置換して、タッチスクリーンを構成する場合につき説明する。ここでは、図２１（ａ）に示す配線バターンで置換した基本配線パターンを、それぞれ図示はしないが２ｕｂ、３ｕｂ、２Ｆｕｂ、３Ｆｕｂと記す。
【０１２０】
検出用列配線２の単位配線パターン２ｕｂは、Ｓ字状配線ｊｂまたはｋｂの端部で他の検出用列配線２の単位配線パターン２ｕｂと連結される。このようにして、ブロック領域Ｃ１、Ｃ２においては、検出用列配線２から構成される単位配線パターン２ｕｂがそれぞれブロック領域Ｃ１、Ｃ２の対角方向に連結される。
【０１２１】
そして、連結された単位配線パターン２ｕｂのＳ字状配線ｊｂ、ｋｂの一部が、ブロック領域Ｃ１、Ｃ２の対角方向に伸び、ブロック領域中央の連結点で連結する検出用列配線２の斜め±４５°方向に伸在する主配線となる。
【０１２２】
同様に、図２１（ａ）に示す基本パターン形状をもった検出用行配線３の単位配線パターン３ｕｂは、Ｓ字状配線ｊｂまたはｋｂの端部で他の検出用行配線３の単位配線パターン３ｕｂと連結される。このようにして、ブロック領域Ｒ１、Ｒ２においては、検出用行配線３から構成される単位配線パターン３ｕｂがそれぞれブロック領域Ｒ１、Ｒ２の対角方向に連結される。
【０１２３】
そして、連結された単位配線パターン３ｕｂのＳ字状配線ｊｂ、ｋｂの一部が、ブロック領域Ｒ１、Ｒ２の対角方向に伸び、ブロック領域中央の連結点で連結する検出用行配線３の斜め±４５°方向に伸在する主配線となる。
【０１２４】
ここで、Ｓ字状配線Ｊｂ、ｋｂが連結された検出用列配線２及び検出用行配線３の主配線は、円弧状の凹凸を繰り返しながら、斜め±４５°方向に伸在する波状の配線となる。
【０１２５】
一方、フローティング配線２Ｆ及び３Ｆの単位配線パターン２Ｆｕｂ、３Ｆｕｂは、それぞれ検出用列配線２の単位配線パターン２ｕｂ及び検出用行配線３の単位配線パターン３ｕｂと等価な構造ではあるが、Ｓ字状配線ｊｂまたはｋｂの端部で他のいずれの単位配線パターンとも連結することなく、電気的にフローティング状態にある。
【０１２６】
なお、実施の形態１と同様、ブロック領域Ｃ１、Ｃ２の対角方向に連結された検出用列配線２を構成する単位配線パターン２ｕｂ、およびブロック領域Ｒ１、Ｒ２の対角方向に連結された検出用行配線３を構成する単位配線パターン３ｕｂの間の領域には、検出用列配線２と同層配線であるフローティング配線２Ｆを構成する単位配線パターン２Ｆｕｂ、及び検出用行配線３と同層配線であるフローティング配線３Ｆからなる単位配線パターン３Ｆｕｂが交互に配置される。
【０１２７】
このように、ブロック領域Ｃ１、Ｃ２において、検出用列配線２及びそれと同層配線の単位配線パターン２ｕｂ、２Ｆｕｂと、それらとは異なる層配線であるフローティング配線からなる単位配線パターン３Ｆｕｂとは、それぞれ互い違いに（相補的に）配置され、同層配線の単位配線パターン同士がチェッカーパターン状に配置される。
【０１２８】
同様に、ブロック領域Ｒ１、Ｒ２においても、検出用行配線３及びそれと同層配線の単位配線パターン３ｕｂ、３Ｆｕｂと、それらとは異なる層配線であるフローティング配線からなる単位配線パターン２Ｆｕｂとは、それぞれ互い違いに（相補的に）配置され、同層配線の単位配線パターン同士がチェッカーパターン状に配置される。
【０１２９】
このような単位配線パターンで構成されたタッチスクリーンにおいても、実施の形態１と同様に、検出用列配線２を含むブロック領域Ｃ１、Ｃ２（第１のブロック領域）と、検出用行配線３を含むブロック領域Ｒ１、Ｒ２（第２のブロック領域）とが、列方向ｙ及び行方向ｘにおいて交互に配置され、ブロック領域Ｃ１、Ｃ２（第１のブロック領域）及びブロック領域Ｒ１、Ｒ２（第１のブロック領域）の間には、検出用列配線２及び検出用行配線３とは非接続のフローティング配線２Ｆ、３Ｆを配置した。これにより、隣接するブロック領域における検出用列配線２と検出用行配線３との間の距離を広げるとともに、検出用列配線２及び検出用行配線３との電界結合を低下させて、それぞれの配線から構成される列方向束配線６と行方向束配線７と間の配線間容量を低減することができる。その結果、検出感度の向上や検出時間の短縮によって応答性が向上したタッチスクリーンを得ることができる。
【０１３０】
また、例えば直射日光のようなスポット光源から強い光が照射されると、実施の形態１及び２に示したような直線状の配線からなる単位配線パターンを用いた場合、直線状の配線による光反射の方向が±４５°方向に揃うため、±４５°方向に反射光による輝線が視認される場合がある。
【０１３１】
本実施の形態の単位配線パターンのように、直線状配線を円弧状とすることで、光の反射方向が均一となるように分散させることができ、スポット光源からの強い光が照射されたときの輝線が極めて視認されにくくなる。
【０１３２】
なお、上記実施の形態１〜３においては、ブロックＣ１、Ｃ２、Ｒ１およびＲ２や単位配線パターン領域を正方形状のものとして説明したが、とくにこの形状に限定されるものではなく、矩形状であれば同様に実施することができる。
【符号の説明】
【０１３３】
１  タッチスクリーン、  ２  検出用列配線、  ２Ｆ  フローティング配線、  ２ｕ、２Ｆｕ  単位配線パターン、  ２ｅ、２Ｆｅ  分岐配線、  ３  検出用行配線、  ３Ｆ  フローティング配線、  ３ｕ、３Ｆｕ  単位配線パターン、  ３ｅ、３Ｆｅ  分岐配線、  ２ｊ，２ｋ，２Ｆｊ、２Ｆｋ  斜め配線、  ３ｊ，３ｋ，３Ｆｊ、３Ｆｋ  斜め配線、  ６  列方向束配線、  ７  行方向束配線、  １２  ベース基板、  １９  スイッチ回路、  ２０  検出処理回路、  １００  タッチパネル、  Ａ  グリッド、  Ｃ１、Ｃ２、Ｒ１、Ｒ２  ブロック領域、  ｊａ、ｋａ  斜め配線、  ｊｂ、ｋｂ  Ｓ字状配線、  ｅｂ  分岐配線。
【図１】
2014170490.tif 000003
【図２】
2014170490.tif 000004
【図３】
2014170490.tif 000005
【図４】
2014170490.tif 000006
【図５】
2014170490.tif 000007
【図６】
2014170490.tif 000008
【図７】
2014170490.tif 000009
【図８】
2014170490.tif 000010
【図９】
2014170490.tif 000011
【図１０】
2014170490.tif 000012
【図１１】
2014170490.tif 000013
【図１２】
2014170490.tif 000014
【図１３】
2014170490.tif 000015
【図１４】
2014170490.tif 000016
【図１５】
2014170490.tif 000017
【図１６】
2014170490.tif 000018
【図１７】
2014170490.tif 000019
【図１８】
2014170490.tif 000020
【図１９】
2014170490.tif 000021
【図２０】
2014170490.tif 000022
【図２１】
2014170490.tif 000023